(57)【要約】      （修正有）【課題】パチンコ等の遊技店に設置する装置にあって、遊技機本体の交換時にも再利用可能で、異なる大きさの液晶パネルを用いることができる表示装置をを提供する。【解決手段】表示装置においては、側方カバー５１は、液晶パネル４の対向する一方の２辺の額縁に対応した大きさに形成され、かつ、交換可能に形成されて、液晶パネル４に取り付けられ、第２カバー５２、５３は、液晶パネル４に取り付け可能に上下カバー５２、５３を互いに連結させ、上下カバー５２、５３間の距離が調整可能となることで異なる大きさの液晶パネル４を用いることができる調整機構を設ける。さらに、第２保持部材３２は、所定の大きさであり、幕板Ｐ３に取り付けられる第２ベース部３２１と、第２起立部３２２と、を有し、第１保持部材は、パチンコ機にほぼ直交する方向で回動可能となるように第２起立部３２２に軸支され、所定の回動位置で固定することにより液晶パネル４の角度調整が可能に構成される。【選択図】図４
0003163488.tif 000002
【実用新案登録請求の範囲】
【請求項１】
遊技機の上部に設けられる幕板に保持され、所望の画像を表示する表示装置であって、
有効表示領域に画像を表示する画像表示パネルと、
前記有効表示領域の周囲の額縁を覆うカバーと、
前記画像表示パネルを前記幕板の前面に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、当該第２カバー間の距離が調整可能となることで異なる大きさの画像表示パネルを用いることができる調整機構を有し、
前記保持部は、前記パチンコ機側に取り付けられる第１保持部と、前記カバー側に取り付けられる第２保持部と、を有し、
前記第１保持部は、所定の大きさであり、前記幕板に密接して取り付けられるベース部と、当該ベース部から起立する起立部と、を有し、
前記第２保持部は、前記パチンコ機にほぼ直交する方向で回動可能となるように前記起立部に軸支され、所定の回動位置で固定することにより前記画像表示パネルの角度調整が可能な表示装置。
【請求項２】
前記起立部は、前記ベース部の端部に２箇所設けられ、
前記第２保持部は、前記起立部に対応して、回動可能に取り付けられる請求項１記載の表示装置。
【請求項３】
前記第２保持部には、所定の回動域以上の回動を規制する回動規制部が設けられる請求項１または２記載の表示装置。
【請求項４】
遊技機島の上部の幕板において各遊技機に対応して設けられ、所望の画像を表示する表示装置を有する表示システムであって、
前記表示装置に画像を表示させる表示制御装置を備え、
前記表示装置は、
有効表示領域に画像を表示する画像表示パネルと、
前記有効表示領域の周囲の額縁を覆うカバーと、
前記画像表示パネルを前記幕板の前面に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、当該第２カバー間の距離が調整可能となることで異なる大きさの画像表示パネルを用いることができる調整機構を有し、
前記保持部は、前記パチンコ機側に取り付けられる第１保持部と、前記カバー側に取り付けられる第２保持部と、を有し、
前記第１保持部は、前記幕板に密接して取り付けられるベース部と、当該ベース部から起立する起立部と、を有し、
前記第２保持部は、前記パチンコ機にほぼ直交する方向で回動可能となるように前記起立部に軸支され、所定の回動位置で固定することにより前記画像表示パネルの角度調整が可能な表示システム。
【考案の詳細な説明】
【技術分野】
【０００１】
本考案は、遊技機の上部において所望の画像を表示する表示装置及び表示システムに関する。
【背景技術】
【０００２】
従来より、パチンコ機やスロットマシン等の遊技機を配設する遊技店においては、遊技機を列設して、いわゆる遊技島を構成し、遊技機の上方には球やコインを補給する補給樋や遊技店の管理コンピュータと各遊技機とを結ぶ信号線や給電線等が配設してある。これらの樋や配線は、外部から見えないように遊技島の上部を幕板によって覆われている。
この幕板においては、広告や遊技機の情報が印刷されたシート等を貼り付けて情報を表示する表示面として、利用されている。
また、特許文献１に記載の考案のように、幕板を有機ＥＬパネルのような表示装置により構成し、所望の画像を表示する表示領域として利用することができるものが知られている。
【先行技術文献】
【特許文献】
【０００３】
【特許文献１】特開２００４−８５８９号公報
【考案の概要】
【考案が解決しようとする課題】
【０００４】
ところで、機体の寿命とは別に使用を終えた遊技機は、廃棄処分されているという実情があった。機体の寿命により廃棄処分されていないために、遊技機においては、遊技機に搭載される機器は利用可能な状態で廃棄処分される。これは、近年のリサイクルの要請の観点からも好ましくない。
そこで、本考案者は、遊技機の廃棄処分に伴い遊技機に搭載された入賞等の表示を行う液晶パネル等の画像表示パネルも廃棄処分されており、再利用が図られていないという現状に着目した。その結果、上述した問題とともに画像表示パネルの有効利用することを見出し、本考案を完成するに至った。
本考案は、簡易に快適な遊技空間を提供することを目的とする。
【課題を解決するための手段】
【０００５】
（１）遊技機の上部に設けられる幕板に保持され、所望の画像を表示する表示装置であって、有効表示領域に画像を表示する画像表示パネルと、前記有効表示領域の周囲の額縁を覆うカバーと、前記画像表示パネルを前記遊技機の上部に保持する保持部と、を備え、前記カバーは、前記画像表示パネルの対向する一方の２辺の額縁を覆う第１カバーと、前記画像表示パネルの対向する他方の２辺の額縁を覆う第２カバーと、を有し、前記第１カバーは、前記画像表示パネルの対向する一方の２辺の額縁に対応した大きさに形成され、かつ、交換可能に形成されて、前記画像表示パネルに取り付けられ、前記第２カバーは、前記画像表示パネルに取り付け可能に当該第２カバーを互いに連結させ、当該第２カバー間の距離が調整可能となることで異なる大きさの画像表示パネルを用いることができる調整機構を有し、前記保持部は、前記パチンコ機側に取り付けられる第１保持部と、前記カバー側に取り付けられる第２保持部と、とを有し、前記第１保持部は、所定の大きさであり、前記幕板に密接して取り付けられるベース部と、当該ベース部から起立する起立部を有し、前記第２保持部は、前記パチンコ機にほぼ直交する方向で回動可能となるように前記起立部に軸支され、所定の回動位置で固定することにより前記画像表示パネルの角度調整が可能な表示装置。
【０００６】
（１）の表示装置においては、保持部により幕板の前面に表示面を配置するために、既存の幕板を用いることができるので、幕板とパチンコ機に施された装飾により、遊技空間が演出されている場合等においては、遊技空間の統一感を崩すことなく新たな表示面を提供することができる。
【０００７】
また、（１）の表示装置は、調整機構により、画像表示パネルを取り付けるために、異なる大きさの画像表示パネルを用いることができる。表示装置は、異なる大きさの画像表示パネルを用いることができることにより、例えば、廃棄されるパチンコ機に付いていた画像表示パネル等の既存の画像表示パネルを用いることができる。したがって、（１）の表示装置においては、異なる大きさの画像表示パネルを用いることができるため、簡易に快適な遊技空間を提供することができる。
【０００８】
また、（１）の表示装置は、幕板に密接して取り付けられるベース部により、パチンコ機の正面側に取り付けられるために、取り付け部分が補強されることになり、例えば、表示装置に接触した場合等においても、高い取り付け強度を発揮することができるために、容易に幕板から脱落してしまうことがない。
【０００９】
また、（１）の表示装置は、第２保持部において、パチンコ機にほぼ直交する方向で回動可能となるように起立部に軸支され、所定の回動位置で固定する。このため、表示装置においては、例えば、プレーヤが見やすい角度に画像表示パネルの角度を調整が可能となる。
【００１０】
（２）前記起立部は、前記ベース部の端部に２箇所設けられ、前記第２保持部は、前記起立部に対応して、回動可能に取り付けられる（１）記載の表示装置。
【００１１】
（２）の表示装置においては、２箇所の起立部により、第２保持部材と連結するために、第１保持部と第２保持部との連結強度を高めることができる。例えば、表示装置に接触した場合等にも、容易に画像表示パネルが、第１固定部材から脱落してしまうことがない。
【００１２】
（３）前記第２保持部には、所定の回動域以上の回動を規制する回動規制部が設けられる（１）または（２）記載の表示装置。
【００１３】
（３）の表示装置においては、所定の回動域以上の回動を規制する回動規制部が設けられるために、例えば、画像表示パネルへの回動方向の接触があった場合でも、所定の回動域以上の回動が規制されるために、画像表示パネルが、幕板等に接触して破損してしまったり、第１保持部材から脱落してしまったりすることがない。
【００１４】
（４）遊技機島の上部の幕板において各遊技機に対応して設けられ、所望の画像を表示する表示装置を有する表示システムであって、前記表示装置に画像を表示させる表示制御装置を備え、前記表示装置は、有効表示領域に画像を表示する画像表示パネルと、前記有効表示領域の周囲の額縁を覆うカバーと、前記画像表示パネルを前記遊技機の上部に保持する保持部と、を備え、前記カバーは、前記画像表示パネルの対向する一方の２辺の額縁を覆う第１カバーと、前記画像表示パネルの対向する他方の２辺の額縁を覆う第２カバーと、を有し、前記第１カバーは、前記画像表示パネルの対向する一方の２辺の額縁に対応した大きさに形成され、かつ、交換可能に形成されて、前記画像表示パネルに取り付けられ、前記第２カバーは、前記画像表示パネルに取り付け可能に当該第２カバーを互いに連結させ、当該第２カバー間の距離が調整可能となることで異なる大きさの画像表示パネルを用いることができる調整機構を有し、前記保持部は、前記パチンコ機側に取り付けられる第１保持部と、前記カバー側に取り付けられる第２保持部と、とを有し、前記第１保持部は、前記幕板に密接して取り付けられるベース部と、当該ベース部から起立する起立部を有し、前記第２保持部は、前記パチンコ機にほぼ直交する方向で回動可能となるように前記起立部に軸支され、所定の回動位置で固定することにより前記画像表示パネルの角度調整が可能な表示システム。
【００１５】
（４）の表示システムにおいては、保持部により幕板の前面に表示面を配置するために、既存の幕板を用いることができるので、幕板とパチンコ機に施された装飾により、遊技空間が演出されている場合等においては、遊技空間の統一感を崩すことなく新たな表示面を提供することができる。
【００１６】
また、（４）の表示システムは、調整機構により、画像表示パネルを取り付けるために、異なる大きさの画像表示パネルを用いることができる。表示装置は、異なる大きさの画像表示パネルを用いることができることにより、例えば、廃棄されるパチンコ機に付いていた画像表示パネル等の既存の画像表示パネルを用いることができる。したがって、（１）の表示システムにおいては、表示装置に異なる大きさの画像表示パネルを用いることができるため、簡易に快適な遊技空間を提供することができる。
【００１７】
また、（４）の表示システムは、所定の大きさであり、幕板に密接して取り付けられるベース部により、パチンコ機の正面側に取り付けられるために、取り付け部分が補強されることになり、例えば、表示装置に接触した場合等においても、高い取り付け強度を発揮することができるために、容易に幕板から脱落してしまうことがない。
【００１８】
また、（４）の表示システムは、第２保持部において、パチンコ機にほぼ直交する方向で回動可能となるように起立部に軸支され、所定の回動位置で固定する。このため、表示装置においては、例えば、プレーヤが見やすい角度に画像表示パネルの角度を調整が可能となる。
【考案の効果】
【００１９】
本考案によれば、異なる大きさの画像表示パネルを用いることができるため、簡易に快適な遊技空間を提供することができる。
【図面の簡単な説明】
【００２０】
【図１】本考案のパチンコ島における表示システムを示す概念図である。
【図２】本考案のパチンコ島の正面図である。
【図３】幕板に取り付けた状態を示す図で、（ａ）は標準の大きさの液晶パネルを用いた表示装置を取り付けた状態を示す斜視図、（ｂ）は小型の液晶パネルを用いた表示装置を取り付けた状態を示す斜視図である。
【図４】カバーが取り付けられた液晶パネルと、幕板に取り付けた保持部材とを示す斜視図である。
【図５】カバーが取り付けられた液晶パネルへの保持部材の取り付けを示す図で、（ａ）はカバーが取り付けられた液晶パネルへの第１保持部材の取り付けを示す図、（ｂ）は第１保持部材への第２保持部材の取り付けを示す図、（ｃ）は第１保持部材と第２保持部材との連結を示す図である。
【図６】液晶パネルの角度調整を示す図で、（ａ）は液晶パネルの表示位置における標準状態を示す図、（ｂ）は液晶パネルの表示位置における下方状態を示す図である。
【図７】液晶パネルと側方カバーを示す図で、（ａ）は液晶パネルへの側方カバーの取り付けを示す図、（ｂ）は液晶パネルへの側方カバーのネジによる固定を示す図、（ｃ）は小型の液晶パネルを用いる場合に用いる側方カバーを示す図である。
【図８】液晶パネルとカバーを示す図で、（ａ）は液晶パネルへの上下カバーの取り付けを示す図、（ｂ）は上下カバーの液晶パネルへの取り付け時の調整を示す図である。
【図９】カバーが取り付けられた液晶パネルに第１保持部材を取り付けた状態を背面方向から見た斜視図である。
【図１０】第２実施形態におけるカバーが取り付けられた液晶パネルと幕板に取り付けた保持部材とを示す斜視図である。
【図１１】第２実施形態における液晶パネルとカバーと第１保持部材とを示す図で、（ａ）は側方カバーが取り付けられた液晶パネルを上下カバーに取り付ける状態を示す図、（ｂ）はカバーと第１保持部材が取り付けられた液晶パネルを背面方向から見た斜視図である。
【図１２】第２実施形態におけるカバーが取り付けられた液晶パネルへの保持部材の取り付けを示す図で、（ａ）はカバーが取り付けられた液晶パネルへの第１保持部材の取り付けを示す図、（ｂ）は第１保持部材への第２保持部材の取り付けを示す図、（ｃ）は第１保持部材と第２保持部材との連結を示す図である。
【考案を実施するための形態】
【００２１】
＜第１実施形態＞
以下、本実施形態の表示システムＳについて、図１を用いて説明する。図１は、本考案のパチンコ島Ｐ１（遊技機島）における表示システムＳを示す概念図である。
本実施形態の表示システムＳは、各パチンコ機Ｐ２、Ｐ２、Ｐ２・・・の上部に設けられる呼び出し装置Ｐ６や幕板Ｐ３に対応して配置される表示装置１と、表示装置１に画像を表示させる表示制御装置２とを備える。
【００２２】
表示装置１が配置される幕板Ｐ３は、図１に示すように、パチンコ機Ｐ２の上部の球給通路（図示せず）や配線（図示せず）等を覆い隠す板であり、内部の配線等を外部から取り扱うことができるように、各パチンコ機Ｐ２、Ｐ２、Ｐ２・・・の上部に配置されるとともに、パチンコ機Ｐ２の天面に位置する天板Ｐ４（取り付け部）に蝶番Ｐ５を介して開閉可能に取り付けられる。
【００２３】
また、幕板Ｐ３には、本実施形態においては、例えば、幕板Ｐ３の下部に設けられているパチンコ機Ｐ２の機種に対応する絵柄等が印刷された装飾シート（図示せず）が貼り付けられる。
したがって、パチンコ島Ｐ１において、同一機種のパチンコ機Ｐ２が配設される場合には、パチンコ島Ｐ１の全体で、パチンコ機Ｐ２の装飾と幕板Ｐ３の装飾により遊技空間が総合的に演出される。
【００２４】
また、呼び出し装置Ｐ６は、幕板Ｐ３とパチンコ機Ｐ２との間にあり、プレーヤが店員を呼び出すための押しボタンや押しボタンに対応したランプや対応するパチンコ機Ｐ２の出玉の情報を表示する表示部等を有する。
【００２５】
表示システムＳにおける表示制御装置２は、図１に示すように、複数の表示装置１に接続される。
表示制御装置２は、本実施形態においては、ビデオデッキにより構成される。ビデオデッキ２は、磁気テープ媒体であるビデオカセットに記憶された動画像を再生可能に構成される。また、ビデオデッキ２は、例えば、所定の動画像をエンドレスで再生し、１０分で１セットとなる動画像（映像）を再生し続けるように構成される。
【００２６】
ビデオデッキ２により再生される映像は、例えば、パチンコ機Ｐ２に関する情報（機種情報や操作方法）や、店舗の情報や、店舗の近隣の情報等が流される。なお、表示制御装置２により再生される映像は、表示装置１の利用目的等により種々決定可能である。
【００２７】
次に、本実施形態の表示装置１について、図２から図９を用いて説明する。図２は、本考案のパチンコ島Ｐ１の正面図である。図３は、幕板Ｐ３に取り付けた状態を示す図で、（ａ）は標準の大きさの液晶パネル４を用いた表示装置１を取り付けた状態を示す斜視図、（ｂ）は小型の液晶パネル４を用いた表示装置１を取り付けた状態を示す斜視図である。図４は、カバー５が取り付けられた液晶パネル４と、幕板Ｐ３に取り付けた保持部３とを示す斜視図である。図５は、カバー５が取り付けられた液晶パネル４への保持部３の取り付けを示す図で、（ａ）はカバー５が取り付けられた液晶パネル４への第１保持部材３１の取り付けを示す図、（ｂ）は第１保持部材３１への第２保持部材３２の取り付けを示す図、（ｃ）は第１保持部材３１と第２保持部材３２との連結を示す図である。図６は、液晶パネル４の角度調整を示す図で、（ａ）は液晶パネル４の表示位置における標準状態を示す図、（ｂ）は液晶パネル４の表示位置における下方状態を示す図である。図７は、液晶パネル４と側方カバー５１を示す図で、（ａ）は液晶パネル４への側方カバー５１の取り付けを示す図、（ｂ）は液晶パネル４への側方カバー５１のネジ５１５による固定を示す図、（ｃ）は小型の液晶パネル４を用いる場合に用いる側方カバー５１を示す図である。図８は、液晶パネル４とカバー５を示す図で、（ａ）は液晶パネル４への上下カバー５２、５３の取り付けを示す図、（ｂ）は上下カバー５２、５３の液晶パネル４への取り付け時の調整を示す図である。図９は、カバー５が取り付けられた液晶パネル４に第１保持部材３１を取り付けた状態を背面方向から見た斜視図である。
【００２８】
表示装置１は、図２及び図３（ａ）に示すように、パチンコ機Ｐ２の上部に設けられる幕板Ｐ３のほぼ中央の幕板Ｐ３の前面に配置される。
【００２９】
表示装置１は、図４に示すように、表示面を幕板Ｐ３の前面に保持する保持部３と、表面の有効表示領域Ｒ１において表示面を構成し、保持部３を介して幕板Ｐ３に取り付けられる液晶パネル４と、液晶パネル４（画像表示パネル）を覆うカバー５と、を備える。
【００３０】
このように構成される表示装置１は、図３（ｂ）に示すように、図３（ａ）に示す液晶パネル４よりも小型の液晶パネル４を用いることができる。また、表示装置１は、図３（ａ）に示す液晶パネル４よりも小型の液晶パネル４に限られず、異なる大きさの液晶パネル４を用いることができる。異なる大きさの液晶パネル４とは、縦横比が異なる液晶パネル４や厚さが異なる液晶パネル４である。また、カバー５の形状を変更することにより、矩形の液晶パネル４以外の液晶パネル４を用いることができる。表示装置１に異なる大きさの液晶パネル４を用いた場合については、後に詳述する。
【００３１】
液晶パネル４は、本実施形態においては、横長の矩形形状であり、ＴＦＴ（Ｔｈｉｎ  Ｆｉｌｍ  Ｔｒａｎｓｉｓｔｏｒ、薄膜トランジスタ）液晶パネルとして構成される。液晶パネルには、図６に示すように、所望の画像を表示する有効表示領域Ｒ１が中央に設けられ、有効表示領域Ｒ１の周囲には、画像表示に供しない額縁Ｒ２が設けられている。
【００３２】
液晶パネル４は、例えば、バックライト（図示せず）と、バックライト上に設けられる偏光板と、偏光板上に設けられるアレイ基板（図示せず）と、アレイ基板上に設けられるカラーフィルタ（図示せず）と、アレイ基板に接続される駆動回路（図示せず）と、カラーフィルタ上に設けられる偏光板（図示せず）と、インターフェース基板（図示せず）とを備える。なお、液晶パネル４は、種々の要素から構成可能である。
【００３３】
液晶パネル４は、上述したバックライト等がユニット化され、ケーブル（図示せず）が引き出されて提供される。液晶パネル４は、ケーブルによりビデオデッキ２と接続し、ビデオデッキ２から画像と電源が供給される。
【００３４】
また、液晶パネル４は、本実施形態においては、廃棄されたパチンコ機Ｐ２に搭載されていた液晶パネル４を用いる。液晶パネル４は、パチンコ機Ｐ２の搭載状態においては、例えば、パチンコ機Ｐ２の筐体に取り付けるための取り付け部を有するケースに覆われている場合がある。この場合において、液晶パネル４は、ケースから取り外した状態で後述するカバー５を取り付ける。
【００３５】
バックライトは、面光源であり、インバータに接続されたライトと偏光板にライトの光を導く導光板とを有する。
【００３６】
偏光板は、一方向からの光を通過させ、多方向の光を吸収、あるいは、反射や散乱等によって遮蔽する機能を有するように構成される。
【００３７】
アレイ基板は、ＴＦＴによる画素をマトリックス状に多数配列した基板により構成される。
【００３８】
駆動回路は、液晶パネル４を駆動するために駆動用集積回路（ドライバＩＣ）を付加し、それらを制御するコントローラ（制御用集積回路）等を搭載したプリント基板として構成される。
【００３９】
カラーフィルタは、可視光のうち特定の波長域の光を通過させ、特定の波長域の光を素阻止するフィルタとして構成される。
【００４０】
インターフェース基板は、出力機器（本実施形態においては、ビデオデッキ２）からの出力信号を液晶パネル４に表示可能に変換する基板である。本実施形態においては、当該プリント基板及びインターフェース基板は、液晶パネル４にユニット化されており、電源供給及び出力機器との接続のために、液晶パネル４からケーブルが引き出される。
【００４１】
なお、本実施形態においては、液晶パネル４は、リサイクルの観点等を考慮して、廃棄されたパチンコ機Ｐ２に搭載される液晶パネル４を用いたがこれに限られない。液晶パネル４は、例えば、既製品であっても、新たに設計・製造したものであってもよい。この場合においても、液晶パネル４の大きさを考慮する必要がないために液晶パネル４の選択の幅が広がり、例えば、コスト的に有利な既製品を用いること等のために、廃棄された液晶パネル４を用いる以外にも有効である。
【００４２】
表示装置１は、上述したように構成される液晶パネル４をカバー５で覆い、保持部３を介して、幕板Ｐ３に取り付けることにより、幕板Ｐ３の前面に表示面を配置する。
【００４３】
保持部３は、図４に示すように、液晶パネル４を幕板Ｐ３の前面に保持可能であり、液晶パネル４の表示面の角度を調整可能な構成を備えている。また、保持部３は、カバー５側においてカバー５に取り付けられる第１保持部材３１（第２保持部）と、パチンコ機Ｐ２側において幕板Ｐ３に取り付けられる第２保持部材３２（第１保持部）とを有する。
【００４４】
第１保持部材３１は、コ字形状に形成され、第１ベース部３１１と、第１起立部３１２、３１２とを有する。
【００４５】
第１ベース部３１１は、図４に示すように、カバー５（詳細には、後述する上下カバー５２、５３）にビス（図示せず）を介して取り付けられる。第１ベース部３１１には、カバー５に第１ベース部３１１を取り付けるためのビスが挿通可能なビス挿通長孔３１５ｂが下方に２箇所形成され、ビス挿通長孔３１５ａが上方に２箇所形成される。また、第１ベース部３１１には、液晶パネル４のケーブルが挿通可能なケーブル挿通孔３１４が形成される。
【００４６】
ビス挿通長孔３１５ｂは、後述するように、異なる大きさの液晶パネル４にカバー５を取り付けた場合でも、上カバー５２にビス止めできるように、長孔形状に形成される。
【００４７】
なお、本実施形態においては、第１保持部材３１は、上カバー５２にビス止めするように構成したが、これに限られない。第１保持部材３１は、カバー５（側方カバー５１、あるいは、上下カバー５２、５３）に取り付けられればよく、例えば、溶接や両面テープ等による接着により取り付けてもよく、カバー５にボルトを形成して、ナット止めしてもよい。カバー５にボルトを形成して、ナット止めした場合、異なる大きさの液晶パネル４にカバー５を取り付けても、ビス挿通長孔３１５ｂは、長孔形状であるために、液晶パネル４の大きさに変わることにより、カバー５のボルト位置が変わっても、ボルトの挿通を許容するために、異なる大きさの液晶パネル４を用いた場合でも、確実にカバー５に取り付けることができるように構成することができる。
【００４８】
第１起立部３１２は、図５（ａ）に示すように、第１ベース部３１１の側端部分から２箇所起立するように形成される。第１起立部３１２には、軸ビス３３が挿通可能な第１軸ビス挿通孔３１６及び蝶ネジ３４が挿通可能な蝶ネジ挿通楕円孔３１７が形成される。また、第１起立部３１２には、下方に第１切り欠き部３１８（回動規制部）が形成される。
【００４９】
第２保持部材３２は、図４に示すように、幕板Ｐ３にビス（図示せず）を介して取り付けられる。また、第２保持部材３２は、コ字形状に形成され、第２ベース部３２１（ベース部）と、第２起立部３２２（起立部）とを有する。
【００５０】
第２ベース部３２１は、図４に示すように、パチンコ機Ｐ２の正面（パチンコ機Ｐ２の遊技面がある面）に配置される幕板Ｐ３にビス（図示せず）を介して取り付けられる。第２ベース部３２１には、幕板Ｐ３に第２ベース部３２１を取り付けるためのビスが挿通可能なビス挿通孔３２５が４隅に形成される。また、第２ベース部３２１には、液晶パネル４のケーブルが挿通可能なケーブル挿通孔３２４が形成される。
【００５１】
第２起立部３２２は、図５（ｂ）に示すように、第２ベース部３２１の側端部分から２箇所起立するように形成される。また、第２起立部３２２は、図５（ｃ）に示すように、第２保持部材３２の第１保持部材３１への連結状態において、第１起立部３１２よりも内方に位置するように形成される。
【００５２】
第２起立部３２２には、第１保持部材３１との連結状態において、第１軸ビス挿通孔３１６に対応して、軸ビス３３が挿通可能な第２軸ビス挿通孔３２６、及び蝶ネジ挿通楕円孔３１７に対応して、蝶ネジ挿通孔３２７が形成される。
【００５３】
また、第２起立部３２２には、下方に第２切り欠き部３２８（回動規制部）が形成される。表示装置においては、第１切り欠き部３１８と第２切り欠き部３２８が形成されることにより、液晶パネル４の回動時に第１保持部材３１が幕板Ｐ３に、第２保持部材３２が第１保持部材３１にぶつかることなく回動を許容するとともに、切り欠く量により回動規制部材として機能する。
【００５４】
回動可能範囲については、本実施形態においては、蝶ネジ挿通楕円孔３１７並びに第１切り欠き部３１８及び第２切り欠き部３２８により、決定される。なお、蝶ネジ挿通楕円孔３１７や、第１切り欠き部３１８及び第２切り欠き部３２８により回動規制位置をもって、回動可能範囲を決定するように構成してもよい。
【００５５】
このように構成される表示装置１は、図６（ａ）に示すような標準状態（液晶パネル４が幕板Ｐ３と平行となる位置）から、図６（ｂ）に示すような下方状態（液晶パネル４が標準状態よりも下方に向く位置）に液晶パネル４の位置を調整することができる。
【００５６】
軸ビス３３は、図５（ｃ）に示すように、第１保持部材３１の第１軸ビス挿通孔３１６と第２保持部材３２の第２軸ビス挿通孔３２６に挿通して、第１保持部材３１と第２保持部材３２とを連結する。軸ビス３３は、第１保持部材３１と第２保持部材３２との連結状態を維持可能にナット（図示せず）が取り付けられる。
【００５７】
蝶ネジ３４は、図５（ｃ）に示すように、第１保持部材３１の蝶ネジ挿通楕円孔３１７と第２保持部材３２の蝶ネジ挿通孔３２７に挿通し、ナット（図示せず）により第１保持部材３１と第２保持部材３２とを固定する。詳細には、第１保持部材３１が所定の回動位置で保持されるように、第１保持部材３１を固定する。
【００５８】
また、蝶ネジ３４は、第１保持部材３１の第２保持部材３２への固定部材として機能するとともに、図５（ｃ）に示すように、第１保持部材３１の回動規制部材として機能する。
【００５９】
液晶パネル４の角度調節は、まず、図６（ａ）に示す標準状態において、蝶ネジ３４を回してナットを緩める。ナットを緩めることにより、第１保持部材３１が回動可能となる。次に、図６（ｂ）に示すように、液晶パネル４の角度を下方状態になるように調節する。そして、所定の回動位置に液晶パネル４を位置させて、再度蝶ネジ３４を回してナットを締めて、第１保持部材３１を第２保持部材３２に固定する。
【００６０】
この際、蝶ネジ３４が蝶ネジ挿通楕円孔３１７にぶつかり、第１切り欠き部３１８が幕板Ｐ３にぶつかり、第２切り欠き部３２８が第１保持部材３１にぶつかる等により、回動規制がされる。
【００６１】
このように構成することで、液晶パネル４やカバー５にぶつかって、回動方向に力が加わった場合（例えば、カバー５の裏面側から下方向に加わる場合）でも、直ぐに第１保持部材３１と第２保持部材３２との連結部分に力が加わらないために、高い連結強度を有することになる。
【００６２】
この際、表示装置１は、補強部材として機能する第１ベース部３１１により、カバー５に固定されているために、容易に第１ベース部３１１とカバー５との固定状態が解除されることがない。さらに、表示装置１は、補強部材として機能する第２ベース部３２１により、幕板Ｐ３に固定されているために、容易に幕板Ｐ３との固定状態が解除されることがない。したがって、容易に幕板Ｐ３から脱落しない表示装置１を提供することができる。
【００６３】
表示装置１は、所定の回動範囲が蝶ネジ挿通楕円孔３１７、第１切り欠き部３１８及び第２切り欠き部３２８により決まっているため、その範囲内で、角度の調節を行うことができる。また、表示装置１は、蝶ネジを用いているために、特殊な工具等を使用することなく簡単に角度調節を行うことができる。
【００６４】
また、表示装置１は、液晶パネル４の角度調整時には、軸ビス３３により、第１保持部材３１と第２保持部材３２との連結状態が維持されているために、液晶パネル４が脱落してしまうことがない。
【００６５】
したがって、表示装置１は、上述した保持部３の構造により、表示面（液晶パネル４）の角度を変更することができる。表示装置１においては、表示面を下方状態すれば、例えば、着席しているパチンコ機Ｐ２を操作するプレーヤに見やすい位置に表示面を向けることができる。また、表示面を標準状態や上方状態すれば、例えば、パチンコ島Ｐ１の間を行き交う人に見やすい位置に表示面を向けることができる。
【００６６】
また、本実施形態においては、液晶パネル４を標準状態から下方に向けることができるように構成したがこれに限られない。液晶パネル４の取り付ける場所によって、角度調節の方向を決定すればよく、例えば、パチンコ機Ｐ２の下方に取り付けた場合には、上方に向くように構成してもよい。この場合、軸ネジ用の孔や蝶ネジ用の孔や切り欠き部を上下逆の位置に設けることにより容易に構成することができる。
【００６７】
次に、液晶パネル４の額縁Ｒ２を覆うカバー５について、説明する。
カバー５は、図７（ａ）に示すように、２つの側方カバー５１（第１カバー）と、上カバー５２（第２カバー）と、下カバー５３（第２カバー）とを有する。
【００６８】
側方カバー５１は、図７（ａ）に示すように、液晶パネル４の表示面側を覆う前面、表示面の反対側を覆う背面及び液晶パネル４の厚み方向側の面を覆う側面により構成され、断面コ字状に形成される。側方カバー５１には、液晶パネル４が前面、背面及び側面により囲まれるコ字形状の内方に配置される。また、側方カバー５１は、液晶パネル４の大きさ毎に形成され、液晶パネル４の大きさに応じて、対応する大きさのものに交換して用いられる。
【００６９】
側方カバー５１の前面５１１は、液晶パネル４の有効表示領域Ｒ１の外方の額縁を覆う大きさに形成される。
側方カバー５１の側面５１２は、液晶パネル４の厚さよりも大きく形成される。
【００７０】
側方カバー５１の背面５１３は、側方カバー５１の前面５１１と同程度の大きさに形成され、ネジが挿通可能なネジ挿通孔５１４を有する。なお、側方カバー５１の背面５１３は、本実施形態においては、例えば、縦長矩形の板材を折り曲げる等により容易に形成できるように形成性を考慮した大きさに形成したがこれに限られない。側方カバー５１の背面５１３は、例えば、液晶パネル４との固定を行う部材となるネジ５１５が挿通可能なネジ挿通孔５１４を形成する部位に対応した部分のみでもよい。
【００７１】
液晶パネル４と側方カバー５１の取り付けについて説明する。液晶パネル４と側方カバー５１とは、図７（ａ）に示すように、ネジ５１５により連結される。ネジ５１５は、ネジ挿通孔５１４に挿通され、対応するナット５１６により、側方カバー５１に螺着される。この際、ネジの先端を液晶パネル４の背面を側方カバー５１の前面５１１に押し付ける位置に配置することで、液晶パネル４と側方カバー５１とを連結させることができる。
また、側方カバー５１と液晶パネル４への取り付けに際して、ネジ５１５と液晶パネル４の背面との間には、図７（ｂ）に示すように、ゴム５１７が設けられる。ゴム５１７を設けることにより、ネジ５１５の押圧面が拡大されるとともに、液晶パネル４の形状に影響を受けずに、ゴム５１７の押圧を行うことができる。
【００７２】
また、側方カバー５１は、上述したように液晶パネル４の大きさ毎に形成される。詳細には、側方カバー５１は、液晶パネル４の縦方向の長さに対応した長さに側方カバー５１の前面５１１、側面５１２及び背面５１３が形成され、額縁Ｒ２の領域に対応した大きさに側方カバー５１の前面５１１が形成される。つまり、図３（ａ）に示すような液晶パネル４に比して小型の図３（ｂ）に示すような液晶パネル４を用いる場合には、図７（ｃ）に示すように、液晶パネル４に対応して形成された側方カバー５１を用いる。
このように、側方カバー５１は、液晶パネル４の大きさ毎に形成されるために、用いる液晶パネル４の大きさに合わせて、対応する側方カバー５１を選んで取り付ける。
【００７３】
上カバー５２は、図８（ａ）に示すように、液晶パネル４の前面に対応する前面５２１と、液晶パネル４の上面に対応する上面５２２と、液晶パネル４の背面に対応した背面５２３と、液晶パネル４の側面に対応して側面５２４と、を有する。なお、上カバー５２は、本実施形態においては、例えば、射出成形等により各面（前面５２１、上面５２２、背面５２３及び側面５２４）が一体に形成される。
【００７４】
上カバー５２の上面５２２には、アジャスト用ボルト５２６が挿通するボルト挿通孔５２５が形成される。
【００７５】
上カバー５２の背面５２３は、液晶パネル４の中央部付近まで、液晶パネル４の背面を覆う大きさであり、上カバー５２と下カバー５３を液晶パネル４に取り付けた状態において、図８に示すように、配線抜け用開口５４を形成可能な大きさに形成される。
【００７６】
また、上カバー５２の背面５２３には、図９に示すように、液晶パネル４の取り付け状態において、液晶パネル４に取り付けられた側方カバー５１を避けるように切り欠かれた切り欠き部５２９が形成される。
【００７７】
下カバー５３は、図８（ａ）に示すように、液晶パネル４の前面に対応する前面５３１と、液晶パネル４の底面に対応する底面５３２と、液晶パネル４の背面に対応した背面５３３と、液晶パネル４の側面に対応した側面５３４と、を有する。
【００７８】
また、下カバー５３は、上下カバー５２、５３の液晶パネル４への取り付け状態において、上カバー５２のボルト挿通孔５２５に対応する位置に配置されるアジャスト用ナット５３５を有する。なお、下カバー５３は、本実施形態においては、射出成形等により各面（前面５３１、底面５３２、背面５３３、側面５３４）が一体に形成される。
【００７９】
下カバー５３の背面５３３は、図９に示すように、液晶パネル４の中央部まで、液晶パネル４の背面を覆う大きさに延設されており、上カバー５２と下カバー５３を液晶パネル４に取り付けた状態において、配線抜け用開口５４を形成可能な大きさに形成される。
【００８０】
また、下カバー５３の背面５３３には、液晶パネル４の取り付け状態において、液晶パネル４に取り付けられた側方カバー５１を避けるように切り欠かれた切り欠き部５２９が形成される。また、上下カバー５３の背面５３３には、ビス（図示せず）により、第１保持部材３１が取り付けられる。
【００８１】
アジャスト用ナット５３５は、図８（ａ）に示すように、円柱状に形成され、一端にアジャスト用ボルト５２６に対応したボルト孔５３６を有し、他端が下カバー５３の底面に取り付けられる。
【００８２】
上カバー５２と下カバー５３とは、図８（ｂ）に示すように、上カバー５２収容部に液晶パネル４の上部を収容し、下カバー５３収容部に液晶パネル４の下部を収容した状態で、アジャスト用ボルト５２６をボルト挿通孔５２５に挿通させて、対応するアジャスト用ナット５３５に螺合させることで、液晶パネル４を保持して連結可能となる。
また、上カバー５２と下カバー５３とは、アジャスト用ボルト５２６の螺合状態を調整することにより、位置を調整することができる。つまり、液晶パネル４の高さ方向の位置を調整することができる。
【００８３】
例えば、図３（ａ）に示す大きさの液晶パネル４から図３（ｂ）に示す大きさの液晶パネル４を表示装置１に用いるためには、まず、図３（ｂ）に示す大きさの液晶パネル４に対応した図７（ｃ）に示す大きさの側方カバー５１に交換する。この際、用いる液晶パネル４の厚さに応じて、アジャスト用ボルト５２６の先端の位置を調整する。
【００８４】
次に、表示装置１においては、液晶パネル４に上カバー５２と下カバー５３を取り付ける。この際、液晶パネル４の大きさに応じて、図８（ｂ）に示すように、アジャスト用ボルト５２６の螺合具合を調整して、液晶パネル４に上カバー５２と下カバー５３とを取り付ける。この際、液晶パネル４の大きさがアジャスト用ボルト５２６の調節域よりも大きい場合には、アジャスト用ナットに到達し、螺合を調整可能な長さのボルト軸の長いアジャスト用ボルト５２６を用い、液晶パネル４の大きさがアジャスト用ボルト５２６の調節域よりも大きい場合には、上カバー５２からの突出を考慮して、ボルト軸の短いアジャスト用ボルト５２６を用いる。
【００８５】
表示装置１においては、このように側方カバー５１、上カバー５２及び下カバー５３を液晶パネル４に取り付けることにより、異なる大きさの液晶パネル４を取り付けることが可能となる。
【００８６】
このように構成される表示装置１は、種々の大きさ（縦横の長さや厚さ）の液晶モニタを用いることができる。このため、様々な既製品に対応することができる上に、廃棄されたパチンコ機Ｐ２の液晶モニタを流用して表示装置１の液晶パネル４として用いることが可能になる。これにより、パチンコ機Ｐ２のリサイクルの要請を満たすとともに、表示装置１を安価に製造することができる。
【００８７】
次に、以下においては、図３（ｂ）に示した大きさの液晶パネル４を用いた場合の例について説明する。
【００８８】
また、表示装置１においては、図３（ａ）に示す液晶パネル４とは異なる大きさの液晶パネル４を取り付けることができる。以下、図３（ａ）に示す液晶パネル４よりも小型の液晶パネル４（詳細には、図３（ａ）に示す液晶パネル４よりも有効表示領域Ｒ１が狭く、薄く、そして縦方向に短い液晶パネル４）を取り付ける場合について、説明する。
【００８９】
図３（ａ）に示す液晶パネル４よりも有効表示領域Ｒ１が狭い液晶パネル４に対しては、図７（ｃ）に示すような側方カバー５１を用いる。
【００９０】
まず、側方カバー５１を取り付ける。この際、取り付ける液晶パネル４が図に示す液晶パネル４よりも薄いために、ネジ軸が長いネジ５１５を用いる。ネジ軸が長いネジ５１５を用いることで、ネジ軸の先端で液晶パネル４を側方カバー５１の前面に押し付けて、側方カバー５１を液晶パネル４に固定される。
【００９１】
次に、上カバー５２及び下カバー５３を液晶パネル４に取り付ける。この際、取り付ける液晶パネル４が図３（ａ）に示す液晶パネル４よりも縦方向に短いために、ボルト軸の短いアジャスト用ボルト５２６を用いる。ボルト軸が短いアジャスト用ボルト５２６を用いることで、上カバー５２からアジャスト用ボルト５２６のボルト軸の余剰部分が突出しなくなる。
【００９２】
なお、図３（ａ）に示す液晶パネル４よりも小型の液晶パネル４を用いる例について説明したが、これに限られず、図３（ａ）に示す液晶パネル４よりも大型の液晶パネル４（詳細には、例えば、図３（ａ）に示す液晶パネル４よりも縦方向に大きく、厚さ方向に大きい液晶パネル４）にも取り付けることができる。この場合、液晶パネル４の縦方向及び有効表示領域Ｒ１に対応した側方カバー５１を交換して、上カバー５２と下カバー５３のアジャスト用ボルト５２６の螺合具合を調整することにより、図３（ａ）に示す液晶パネル４よりも大型の液晶パネル４を用いることができる。
【００９３】
＜第２実施形態＞
表示装置１の第２実施形態について、図１０から図１２を用いて説明する。図１０は、第２実施形態におけるカバーが取り付けられた液晶パネルと幕板に取り付けた保持部材とを示す斜視図である。図１１は、第２実施形態における液晶パネルとカバーと第１保持部材とを示す図で、（ａ）は側方カバーが取り付けられた液晶パネルを上下カバーに取り付ける状態を示す図、（ｂ）はカバーと第１保持部材が取り付けられた液晶パネルを背面方向から見た斜視図である。図１２は、第２実施形態におけるカバーが取り付けられた液晶パネルへの保持部材の取り付けを示す図で、（ａ）はカバーが取り付けられた液晶パネルへの第１保持部材の取り付けを示す図、（ｂ）は第１保持部材への第２保持部材の取り付けを示す図、（ｃ）は第１保持部材と第２保持部材との連結を示す図である。
【００９４】
第１実施形態における表示装置１は、第１保持部材３１を一体に形成して、１つの第１ベース部３１１により２つの第１起立部３１２、３１２を上下カバー５２、５３に保持していたが、第２実施形態では、図１０に示すように、２つの第１起立部３１２、３１２のそれぞれに対応して、２つの第１ベース部３１１、３１１からなる２部材の第１保持部材３１により構成される。
【００９５】
第１ベース部３１１、３１１は、図１０に示すように、カバー５への取り付け状態において、カバー５の中央付近に達しない大きさである。このため、液晶パネル４からケーブルを引き出す際には、図１１（ｂ）に示すように、第１ベース部３１１、３１１との間から、引き出されることになる。
【００９６】
また、第１ベース部３１１、３１１は、本実施形態においては、図１１（ａ）に示すように、下カバー５３に溶接により固定されている。
【００９７】
なお、本実施形態において、第１ベース部３１１、３１１は、下カバー５３に溶接により固定されているがこれに限られない。カバー５（側方カバー５１、上カバー５２、あるいは、下カバー５３）に取り付けられていればよく、例えば、第１ベース部３１１、３１１にボルト挿通孔を形成して、ボルト止めしたり、カバーに形成されたボルトを形成されるボルト挿通孔を介して、ナットにより止めたりして構成してもよい。
【００９８】
本実施形態において、表示装置１は、図１１（ａ）に示すように、下カバー５３に液晶パネル４を嵌め込んで上カバー５２にアジャスト用ボルト５２６、５２６を介してアジャスト用ナット５３５、５３５に取り付けることにより、図１１（ｂ）に示すように、カバー５を取り付けた液晶パネル４が第２保持部材３２と連結可能な状態となる。
【００９９】
そして、図１２（ａ）から図１２（ｃ）に示すように、軸ビス３３により、第２保持部材３２に連結して、所定の回動位置で、蝶ネジ３４及びナット（図示せず）により固定する。
【０１００】
以上のように構成される表示装置１においては、以下のような効果を奏する。
表示装置１においては、保持部３により幕板Ｐ３の前面に表示面を配置するために、既存の幕板Ｐ３を用いることができるので、幕板Ｐ３とパチンコ機Ｐ２に施された装飾により、遊技空間が演出されている場合等においては、遊技空間の統一感を崩すことなく新たな表示面を提供することができる。
【０１０１】
また、表示装置１においては、用いる液晶パネル４の大きさに応じて、側方カバー５１を交換し、上下カバー５２、５３の距離を調整することにより、異なる大きさの液晶パネル４を用いることができる。したがって、表示装置１においては、例えば、廃棄されたパチンコ機Ｐ２に搭載されていた液晶パネル４や既製品の液晶パネル４を用いることができ、リサイクルの要請を満たすことができたり、コスト面や製造性等の製造者に有利に働くように自由に液晶パネル４を選択したりすることができる。
【０１０２】
また、表示装置１においては、保持部３に表示面の角度を調整可能な角度調整機構を備えているために、例えば、パチンコ機Ｐ２を操作するプレーヤ等に適した方向に表示面を向けることができ、表示効果を高めることができる。
【０１０３】
また、表示装置１においては、ネジにより液晶パネル４を側方カバー５１の前面に押し付けて液晶パネル４に側方カバー５１を取り付けるために、液晶パネル４の形状等に影響されることなく側方パネルを液晶パネル４に取り付けることができる。
【０１０４】
また、表示装置１においては、保持部３により幕板Ｐ３の表面に表示装置１が取り付けられるために、幕板Ｐ３の開閉操作時に表示装置１が邪魔になることが無い。
【０１０５】
以上、本考案に係る表示装置１の好適な実施形態について説明したが、本考案に係る表示装置１は、上述した実施形態に限定されることなく種々の形態で実施することができる。
【０１０６】
なお、本実施形態において、液晶パネル４は、パチンコ機Ｐ２から取り外し、ケースを取り外した状態で用いられるが、ケースが取り付けられた状態でも用いることができる。この場合においては、ケースを想定した大きさのカバー５を用いることとなる。つまり、液晶パネル４としては機能しないパチンコ機Ｐ２の筐体への取り付け部等を覆う大きさのカバー５を用いることで可能となる。
【０１０７】
また、本実施形態においては、表示装置１に表示する画像を、ビデオデッキ２から出力される映像としたがこれに限られず、種々の画像（静止画像及び動画像）を用いることができる。
【０１０８】
また、本実施形態においては、横長矩形形状の液晶パネル４を用いたがこれに限られない。種々の液晶パネル４の形状に対応可能であり、例えば、縦長矩形形状の液晶パネル４に用いることができる。
【０１０９】
また、本実施形態においては、インターフェース基板等の基板を液晶パネル４にユニット化し、カバー５で保持したがこれに限られない。インターフェース基板等の基板は、取り扱いの容易さや液晶パネル４の構成等により配置場所が選択されればよく、例えば、幕板Ｐ３の内部に配置してもよい。
【０１１０】
また、表示装置１においては、液晶パネル４や、バックライトのインバータ基板や、インターフェース基板をアクリル等のケースでユニット化したモニタユニットをそのまま流用することができる。
【０１１１】
また、本実施形態においては、アジャスト機構により上下カバー５２、５３の位置を調整して、異なる大きさの液晶パネルを用いることができるように構成したがこれに限られない。異なる大きさの液晶パネルを用いるようにするためのアジャスト機構は、液晶パネル４の大きさに対応して、上下カバー５２、５３を液晶パネル４に取り付けることが出来ればよく、例えば、カバー５の裏面にボルトを設けて、ボルトを挿通可能なボルト挿通孔を有する背面パネルにより上下カバー５２、５３を液晶パネル４に取り付けることにより構成することができる。背面パネルに形成されるボルト挿通孔は、異なる大きさの液晶パネル４に上下カバー５２、５３を取り付けることにより、位置が変化する上下カバー５２、５３のボルトを許容して挿通可能な形状、例えば、長孔形状やスリット形状を裏面パネルに形成して構成することができる。したがって、異なる大きさの液晶パネル４を用いて、ボルト位置が変化してもボルト挿通孔内での位置変化なので、ナットにより、裏面パネルを介して、上下カバーを液晶パネル４に取り付けることができる。
【０１１２】
また、表示制御装置２は、画像の再生信号を液晶パネル４に出力可能な構成であればよく、例えば、パーソナルコンピュータでもよい。パーソナルコンピュータにより構成した場合には、例えば、ハードディスクや各種媒体に記憶された画像（静止画像及び動画像）データを表示装置１に表示させる。また、パーソナルコンピュータがインターネットに接続されている場合には、即時性のある情報（例えば、ニュース等）を表示させることができ、パチンコ機Ｐ２と同期して接続される場合には、パチンコ機Ｐ２に対応する表示（例えば、入賞時に対応する表示）を行うことができる。また、各表示装置１に異なる画像を表示させるように構成することもできる。また、表示タイミング等も種々設定可能になる。
【０１１３】
また、本実施形態において、画像表示パネルは、液晶パネル４として構成したがこれに限られない。所望の画像（動画像や静止画像）を表示可能な画像表示パネルであればよく、例えば、有機ＥＬ（Ｅｌｅｃｔｒｏ  Ｌｕｍｉｎｅｓｃｅｎｃｅ）、プラズマディスプレイ、液晶パネル等に代表される動画像表示パネルのみならず、さらには、電子ペーパ等に使用する各種の静止画像表示パネルも含むものである。
【０１１４】
また、本実施形態においては、液晶パネル４の側方に側方カバー５１、５１を設け、液晶パネル４の上方に上カバー５２を設け、液晶パネル４の下方に下カバー５３を設けたがこれに限られず、例えば、液晶パネル４の側方に上下カバー５２、５３を設け、液晶パネル４の上方及び下方に側方カバー５１、５１を設けるようにしてもよい。
【０１１５】
また、本実施形態においては、液晶パネル４を保持部３を介して、幕板Ｐ３に直接取り付けたがこれに限られない。液晶パネル４は、幕板Ｐ３の前面に配置されていればよく、例えば、幕板Ｐ３以外の幕板Ｐ３が取り付けられる天板Ｐ４等に保持部３を介して取り付けて幕板Ｐ３の前面に配置されていてもよい。
【０１１６】
また、本実施形態においては、液晶パネル４をパチンコ機Ｐ２の上部の幕板Ｐ３の前面に配置する場合を述べたが、これに代えて、パチンコ機Ｐ２の上部であり幕板Ｐ３の下部の呼び出しボタン等が配置される領域Ｐ６の前面に配置してもよい。この場合、液晶パネル４の背面に呼び出しボタン等が配置されることを避けるために呼び出しボタン等をずらして配してもよい。またさらに、液晶パネル４をパチンコ機Ｐ２とパチンコ機Ｐ２の間のサンドに配置してもよい。
【符号の説明】
【０１１７】
１      表示装置
２      ビデオデッキ（表示制御装置）
３      保持部
４      画像表示パネル
５      カバー
３１    第２保持部材（第１保持部）
３２    第１保持部材（第２保持部）
５１    側方カバー（第１カバー）
５２    上カバー（第２カバー）
５３    下カバー（第２カバー）
３２１  第２ベース部（ベース部）
３２２  第２起立部（起立部）
３２８  第２切り欠き部（回動規制部）
Ｐ２    遊技機
Ｐ３    幕板
Ｒ１    有効表示領域
Ｒ２    額縁
Ｓ      表示システム
【図１】
0003163488.tif 000003
【図２】
0003163488.tif 000004
【図３】
0003163488.tif 000005
【図４】
0003163488.tif 000006
【図５】
0003163488.tif 000007
【図６】
0003163488.tif 000008
【図７】
0003163488.tif 000009
【図８】
0003163488.tif 000010
【図９】
0003163488.tif 000011
【図１０】
0003163488.tif 000012
【図１１】
0003163488.tif 000013
【図１２】
0003163488.tif 000014